(57)【要約】【課題】各家庭のＡＤＳＬや光通信に接続された無線ＬＡＮのアクセスポイントをモバイルユーザに提供し、モバイルユーザの無線ＬＡＮ利用の機会を増加させ、かつモバイルユーザの使用量に従い、有線高速ネットワークの料金を割り引くことで、料金を低価格化し、加入者を増加させることが可能な無線ＬＡＮシステムを提供する。【解決手段】本発明のネットワークシステムは、通信事業者に設置され、加入者の無線ＬＡＮを介して、加入者以外のクライアント端末からもアクセス可能であり、加入者以外の回線使用量に応じて、使用された加入者の使用料金を減額するネットワークシステムであり、入力されるパケットにおける識別子から、通信事業者を示す会社ＩＤ及びユーザＩＤを抽出するＩＤ抽出部と、加入者毎に、上記会社ＩＤ及びユーザＩＤに対応して、前記回線使用量として、所定期間におけるパケット数が記録された利用者履歴データベースとを有する。【選択図】  図１
2004312088.tif 000002
【特許請求の範囲】
【請求項１】
各種クライアント端末が無制限にアクセス可能な無線アクセスポイントを有する無線ＬＡＮシステムのルータにおいて、
前記無線アクセスポイントから入力されるパケットから、送信元ＭＡＣアドレスを抽出し、抽出された送信元ＭＡＣアドレスが、予め設定されている設定ＭＡＣアドレスと一致するか否かを判定するＭＡＣアドレス検出部と、
前記ＭＡＣアドレス検出部が前記送信元ＭＡＣアドレスを、予め設定されている設定ＭＡＣアドレスに対応することを検出した場合、予め設定されている識別子を前記パケットに添付し、設定ＭＡＣアドレスに対応していないことを検出した場合、対応する送信元に対し、この送信元を識別する識別子の送信を要求し、入力される識別子を添付する識別子添付部と、
前記識別子を添付されたパケットを含む、前記入力されるパケットを、各々のパケットに示される宛先アドレスに対して送信する制御部と
を有することを特徴とするルータ。
【請求項２】
前記識別子添付部が、前記クライアント端末の所有者のＩＤ番号と、この所有者の加入している通信事業者を示す会社ＩＤとを含む前記識別子を用いることを特徴とする請求項１に記載のルータ。
【請求項３】
予め設定されている優先度に基づいて、各々のクライアント端末毎に、ＬＡＮにおいて他のパケットが送信されている場合、または複数のパケットの衝突が起こった場合、パケットの送信または再送の時点における待ち時間を演算する再送時間演算部と、
新たにＬＡＮに接続されたクライアント端末毎に、上記待ち時間のデータを出力する再送処理部と、
を有していることを特徴とする請求項１または請求項２に記載のルータ。
【請求項４】
前記再送時間演算部が、ランダム関数により求められるランダム時間に対して、優先度に対応した係数を乗じ、前記待ち時間の演算を行うことを特徴とする請求項１から請求項３のいずれかに記載のルータ。
【請求項５】
前記ＭＡＣアドレス検出部が、予め設定されている設定ＭＡＣアドレスに対応するクライアント端末の優先度を、対応していないクライアント端末より高く設定し、前記再送時間演算部が、高い優先度に対応する係数を、低い優先度に比較して小さい数値として、待ち時間の演算を行うことを特徴とする請求項４に記載のルータ。
【請求項６】
通信事業者に設置され、加入者の無線ＬＡＮを介して、加入者以外のクライアント端末からもアクセス可能であり、加入者以外の回線使用量に応じて、使用された加入者の使用料金を減額するネットワークシステムであり、
入力されるパケットにおける識別子から、通信事業者を示す会社ＩＤ及びユーザＩＤを抽出するＩＤ抽出部と、
加入者毎に、上記会社ＩＤ及びユーザＩＤに対応して、前記回線使用量として、所定期間におけるパケット数が記録された利用者履歴データベースと
を有することを特徴とするネットワークシステム。
【請求項７】
加入者毎に、前記会社ＩＤ各々のパケットの合計数を積算し、各会社ＩＤの合計数を加算して総計を求め、自社のパケットの合計数をこの総計により除算し、加入者の加入料に対して、得られた除算結果を乗算することにより、加入者の支払い金額を求め、課金データベースにおいて、各加入者毎にこの支払金額を記録する課金演算部を有することを特徴とする請求項６に記載のネットワークシステム。
【請求項８】
各種クライアント端末が無制限にアクセス可能な無線アクセスポイントを有する無線ＬＡＮシステムにおけるルータの制御方法であり、
前記無線アクセスポイントから入力されるパケットから、送信元ＭＡＣアドレスを抽出し、抽出された送信元ＭＡＣアドレスが、予め設定されている設定ＭＡＣアドレスと一致するか否かをＭＡＣアドレス検出部により判定する判定過程と、
前記ＭＡＣアドレス検出部が前記送信元ＭＡＣアドレスを、予め設定されている設定ＭＡＣアドレスに対応することを検出した場合、予め設定されている識別子を前記パケットに添付し、設定ＭＡＣアドレスに対応していないことを検出した場合、対応する送信元に対し、この送信元を識別する識別子の送信を要求し、入力される識別子を添付する識別子添付過程と、
前記識別子を添付されたパケットを、各々のパケットに示される宛先アドレスに対して送信する送信過程と
を有することを特徴とするルータの制御方法。
【請求項９】
各種クライアント端末が無制限にアクセス可能な無線アクセスポイントを有する無線ＬＡＮシステムにおけるルータを制御するプログラムであり、
前記無線アクセスポイントから入力されるパケットから、送信元ＭＡＣアドレスを抽出し、抽出された送信元ＭＡＣアドレスが、予め設定されている設定ＭＡＣアドレスと一致するか否かをＭＡＣアドレス検出部により判定する判定処理と、
前記ＭＡＣアドレス検出部が前記送信元ＭＡＣアドレスを、予め設定されている設定ＭＡＣアドレスに対応することを検出した場合、予め設定されている識別子を前記パケットに添付し、設定ＭＡＣアドレスに対応していないことを検出した場合、対応する送信元に対し、この送信元を識別する識別子の送信を要求し、入力される識別子を添付する識別子処理部と、
前記識別子を添付されたパケットを、各々のパケットに示される宛先アドレスに対して送信する送信処理と
を有することを特徴とするコンピュータにより実行可能なプログラム。
【請求項１０】
加入者の無線ＬＡＮを介して、加入者以外のクライアント端末からもアクセス可能であり、加入者以外の回線使用量に応じて、使用された加入者の使用料金を減額するネットワーク制御方法であり、
入力されるパケットにおける識別子から、通信事業者を示す会社ＩＤ及びユーザＩＤをＩＤ抽出部が抽出する抽出過程と、
加入者毎に、上記会社ＩＤ及びユーザＩＤに対応して、前記回線使用量として、所定期間におけるパケット数を利用者履歴データベースへ記録する記録過程と
を有することを特徴とするネットワーク制御方法。
【請求項１１】
加入者の無線ＬＡＮを介して、加入者以外のクライアント端末からもアクセス可能であり、加入者以外の回線使用量に応じて、使用された加入者の使用料金を減額するネットワークシステムを制御するプログラムであり、
入力されるパケットにおける識別子から、通信事業者を示す会社ＩＤ及びユーザＩＤをＩＤ抽出部が抽出する抽出処理と、
加入者毎に、上記会社ＩＤ及びユーザＩＤに対応して、前記回線使用量として、所定期間におけるパケット数を利用者履歴データベースへ記録する記録処理と
を有することを特徴とするコンピュータにより実行可能なプログラム。
【請求項１２】
請求項９または請求項１１のプログラムが記録された、コンピュータにより読み取り可能な記録媒体。
【発明の詳細な説明】
【０００１】
【発明の属する技術分野】
本発明は、ＡＤＳＬや光回線を利用しているユーザで宅内に無線ＬＡＮを設置しているユーザのアクセスポイントをモバイルユーザに解放するサービスを提供する無線ＬＡＮシステムに関するものである。
【０００２】
【従来の技術】
近年、ノート型パーソナルコンピュータ（ノートパソコン）を含むモバイルコンピュータ（以下、携帯端末）の高機能化により、モバイルユーザ（携帯端末の利用者）が、任意の場所でインターネットなどへの接続が行える無線ＬＡＮの普及が進んでいる（特許文献１）。
そして、ＩＥＥＥ８０２．１１ｂの規格により、無線ＬＡＮのアクセスポイントを設定する際に、モバイルユーザが任意の場所で自由に通信が行えるように、クライアント接続の条件において、利用者の判別をせずに自由に使用できる設定を行う必要がある。
【０００３】
しかし、上述のような利用者の判別を行わない設定とすることにより、通信事業者とネットワークの使用契約を交わしていない利用者からの不正アクセスを許可する結果となり、使用料金を支払っている無線ＬＡＮの加入者の通信を十分に確保することができなくなってしまうといった問題点があった。
このため、無線ＬＡＮ保有者（通信事業者等）は、当該保有者固有のネットワークＩＤ（ＳＳＩＤ）を設定したり、送受信するデータを暗号化し、この無線ＬＡＮ利用者以外からのアクセスを禁止することにより、外部からの不正アクセスを防止していた。
【０００４】
【特許文献１】
特開２００３−６０６５７号公報
【０００５】
【発明が解決しようとする課題】
上述したような状況から、従来の無線ＬＡＮ（ローカルエリアネットワーク）システムにおいては、携帯端末を用いたモバイル通信として、不正アクセス防止のためのアクセス制限により、無線ＬＡＮのアクセスポイント（ホットスポット）の自由な利用が行えないため、モバイル機器からのインターネットなどへのアクセスは携帯電話が主流であり、ＬＡＮによる通信の広帯域化が難しいという問題点がある。
また、従来の無線ＬＡＮシステムにおいては、利用者を判別しない無線ＬＡＮのアクセスポイントの提供サービスもあるが、当該アクセスポイントを必要数設置するには、多額の費用が必要となっていた。
したがって、従来の無線ＬＡＮシステムにおいては、いずれの方法を使用したとしても、任意の地点で無線ＬＡＮを利用したいモバイルユーザに対して、インターネット等へのアクセスを行う十分な数のアクセスポイントを確保することが困難である。
【０００６】
一方、一般家庭においては、ノートパソコンの普及やパーソナルコンピュータの配置の容易さから、屋内における無線ＬＡＮが利用されるようになり、ＡＤＳＬ（Ａｓｙｍｍｅｔｒｉｃａｌ  Ｄｉｇｉｔａｌ  Ｓｕｂｓｃｒｉｂｅｒ  Ｌｉｎｅ、電話回線利用），ＣＡＴＶ（Ｃａｂｌｅ  Ｔｅｌｅｖｉｓｉｏｎ）や光回線（ＦＴＴＨ（Ｆｉｂｅｒ  Ｔｏ  Ｔｈｅ  Ｈｏｍｅ）、光ケーブル利用）による有線高速ネットワークに接続されたアクセスポイントを設置することが多くなってきている。
しかし、上記有線高速ネットワークは、有線高速ネットワーク事業者の設備上から定額制、すなわち、回線を使用してもしなくとも一定の料金がかかるものである。
【０００７】
一般的に、パワーユーザを除くと、有線高速ネットワークの利用者は、常に回線を利用して、データの送受信を行っているわけではなく、データの送受信を行っていない時間の方が長く、定額制を割高と思われており、加入者が増加しない原因となっている。
このため、有線高速ネットワーク事業者は、加入者を増加させるために、定額制の料金を下げる必要があるが、設備上の点から加入者が増加しないと、料金を下げられないジレンマを有している。
【０００８】
本発明はこのような事情に鑑みてなされたもので、各家庭に導入されつつある定額制のＡＤＳＬや光通信に接続された無線ＬＡＮのアクセスポイントをモバイルユーザに提供し（無制限にアクセスを許可し）、モバイルユーザの無線ＬＡＮ利用の機会を増加させ、かつモバイルユーザの使用量に従い、有線高速ネットワークの料金を割り引くことで、料金を低価格化し、加入者を増加させることが可能な無線ＬＡＮシステムを提供することを目的とする。
ここで、無制限とは、登録がされていない第三者ということでアクセスを拒否されることなく、アクセスをすることにより、ルータを利用し、ルータを所持している利用者の契約しているプロバイダを介して、ネットワークに接続することができることを示している。
【０００９】
【課題を解決するための手段】
本発明のルータは、各種クライアント端末が制限されずにアクセス可能な無線アクセスポイントを有する無線ＬＡＮシステムのルータであり、前記無線アクセスポイントから入力されるパケットから、送信元ＭＡＣアドレスを抽出し、抽出された送信元ＭＡＣアドレスが、予め設定されている設定ＭＡＣアドレスと一致するか否かを判定するＭＡＣアドレス検出部と、前記ＭＡＣアドレス検出部が前記送信元ＭＡＣアドレスを、予め設定されている設定ＭＡＣアドレスに対応することを検出した場合、予め設定されている識別子を前記パケットに添付し、設定ＭＡＣアドレスに対応していないことを検出した場合、対応する送信元に対し、この送信元を識別する識別子の送信を要求し、入力される識別子を添付する識別子添付部と、前記識別子を添付されたパケットを含む、前記入力されるパケットを、各々のパケットに示される宛先アドレスに対して送信する制御部とを有することを特徴とする。
【００１０】
本発明のルータは、前記識別子添付部が、前記クライアント端末の所有者のＩＤ番号と、この所有者の加入している通信事業者を示す会社ＩＤとを含む前記識別子を用いることを特徴とする。
本発明のルータは、予め設定されている優先度に基づいて、各々のクライアント端末毎に、ＬＡＮにおいて他のパケットが送信されている場合、または複数のパケットの衝突が起こった場合、パケットの送信または再送の時点における待ち時間を演算する再送時間演算部と、新たにＬＡＮに接続されたクライアント端末毎に、上記待ち時間のデータを出力する再送処理部とを有していることを特徴とする。
【００１１】
本発明のルータは、前記再送時間演算部が、ランダム関数により求められるランダム時間に対して、優先度に対応した係数を乗じ、前記待ち時間の演算を行うことを特徴とする。
本発明のルータは、前記ＭＡＣアドレス検出部が、予め設定されている設定ＭＡＣアドレスに対応するクライアント端末の優先度を、対応していないクライアント端末より高く設定し、前記再送時間演算部が、高い優先度に対応する係数を、低い優先度に比較して小さい数値として、待ち時間の演算を行うことを特徴とする。
【００１２】
本発明のネットワークシステムは、通信事業者に設置され、加入者の無線ＬＡＮを介して、加入者以外のクライアント端末からもアクセス可能であり、加入者以外の回線使用量に応じて、使用された加入者の使用料金を減額するネットワークシステムであり、入力されるパケットにおける識別子から、通信事業者を示す会社ＩＤ及びユーザＩＤを抽出するＩＤ抽出部と、加入者毎に、上記会社ＩＤ及びユーザＩＤに対応して、前記回線使用量として、所定期間におけるパケット数が記録された利用者履歴データベースとを有することを特徴とする。
【００１３】
本発明のネットワークシステムは、加入者毎に、前記会社ＩＤ各々のパケットの合計数を積算し、各会社ＩＤの合計数を加算して総計を求め、自社のパケットの合計数をこの総計により除算し、加入者の加入料に対して、得られた除算結果を乗算することにより、加入者の支払い金額を求め、課金データベースにおいて、各加入者毎にこの支払金額を記録する課金演算部を有することを特徴とする。
【００１４】
本発明のルータの制御方法は、各種クライアント端末が無制限にアクセス可能な無線アクセスポイントを有する無線ＬＡＮシステムにおけるルータの制御方法であり、前記無線アクセスポイントから入力されるパケットから、送信元ＭＡＣアドレスを抽出し、抽出された送信元ＭＡＣアドレスが、予め設定されている設定ＭＡＣアドレスと一致するか否かをＭＡＣアドレス検出部により判定する判定過程と、前記ＭＡＣアドレス検出部が前記送信元ＭＡＣアドレスを、予め設定されている設定ＭＡＣアドレスに対応することを検出した場合、予め設定されている識別子を前記パケットに添付し、設定ＭＡＣアドレスに対応していないことを検出した場合、対応する送信元に対し、この送信元を識別する識別子の送信を要求し、入力される識別子を添付する識別子添付過程と、前記識別子を添付されたパケットを、各々のパケットに示される宛先アドレスに対して送信する送信過程とを有することを特徴とする。
【００１５】
本発明のプログラムは、各種クライアント端末が無制限にアクセス可能な無線アクセスポイントを有する無線ＬＡＮシステムにおけるルータを制御するプログラムであり、前記無線アクセスポイントから入力されるパケットから、送信元ＭＡＣアドレスを抽出し、抽出された送信元ＭＡＣアドレスが、予め設定されている設定ＭＡＣアドレスと一致するか否かをＭＡＣアドレス検出部により判定する判定処理と、前記ＭＡＣアドレス検出部が前記送信元ＭＡＣアドレスを、予め設定されている設定ＭＡＣアドレスに対応することを検出した場合、予め設定されている識別子を前記パケットに添付し、設定ＭＡＣアドレスに対応していないことを検出した場合、対応する送信元に対し、この送信元を識別する識別子の送信を要求し、入力される識別子を添付する識別子処理部と、前記識別子を添付されたパケットを、各々のパケットに示される宛先アドレスに対して送信する送信処理とを有することを特徴とするコンピュータにより実行可能なプログラムである。
【００１６】
本発明のネットワーク制御方法は、加入者の無線ＬＡＮを介して、加入者以外のクライアント端末からもアクセス可能であり、加入者以外の回線使用量に応じて、使用された加入者の使用料金を減額するネットワーク制御方法であり、入力されるパケットにおける識別子から、通信事業者を示す会社ＩＤ及びユーザＩＤをＩＤ抽出部が抽出する抽出過程と、加入者毎に、上記会社ＩＤ及びユーザＩＤに対応して、前記回線使用量として、所定期間におけるパケット数を利用者履歴データベースへ記録する記録過程とを有することを特徴とする。
【００１７】
本発明のプログラムは、加入者の無線ＬＡＮを介して、加入者以外のクライアント端末からもアクセス可能であり、加入者以外の回線使用量に応じて、使用された加入者の使用料金を減額するネットワークシステムを制御するプログラムであり、入力されるパケットにおける識別子から、通信事業者を示す会社ＩＤ及びユーザＩＤをＩＤ抽出部が抽出する抽出処理と、加入者毎に、上記会社ＩＤ及びユーザＩＤに対応して、前記回線使用量として、所定期間におけるパケット数を利用者履歴データベースへ記録する記録処理とを有することを特徴とするコンピュータにより実行可能なプログラムである。
本発明の記録媒体は、上記プログラムが記録された、コンピュータにより読み取り可能な記録媒体である。
【００１８】
【発明の実施の形態】
以下、本発明の一実施形態によるルータ及びネットワークシステムを図面を参照して説明する。図１は、一実施形態によるルータＲ及びネットワークシステムＨを用いたネットワークの構成例を示している。
有線高速ネットワーク事業者Ｙには、サーバ１，抽出部２，課金演算部４，課金データベース４及び利用履歴データベース５を有するネットワークシステムＹが設けられている。
【００１９】
サーバ１は情報通信網Ｉを介して、加入者宅Ｈから送信されるパケットを入力し、このパケットを抽出部２へ送信する。
ここで、情報通信網Ｉは、専用回線，公衆回線，インターネット，ＣＡＴＶの広域帯有線，ＷＡＮ（広域ネットワーク）等から構成されている。
抽出部２は、上記パケットから識別子を抽出して、この識別子から通信事業者を示す会社ＩＤと、パケットを送信した利用者を示すユーザＩＤとを読み出し、サーバ１へ出力する。
【００２０】
また、サーバ１は、回線が接続されている加入者の加入者ＩＤ単位に、抽出部２から入力する会社ＩＤ及びユーザＩＤとの組み合わせ毎に、入力されたパケット及びこのユーザＩＤの宛先アドレスへ送信したパケット、すなわち、この利用者の携帯端末と送受信したパケット数を所定の期間（例えば、１ヶ月）の間積算する。
【００２１】
加入者履歴データベース５は、サーバ１により内部に記憶したデータの読み出し及び書き込みが行われ、加入者ＩＤ単位において、上記組み合わせ各々に対応して、積算されたパケット数が記録されている。
ここで、加入者ＩＤとは、上記有線高速ネットワーク事業者Ｙとネットワークの回線使用契約を交わし、所定期間毎に定額料金を支払っている利用者に対して与えられるＩＤ（識別番号）である。
【００２２】
また、会社ＩＤは利用者が加入している通信事業者を示すＩＤであり、利用者ＩＤは利用者を特定するためのＩＤである。
ここで、サーバ１は、会社ＩＤが自社の会社ＩＤと一致したことを検出すると、この会社ＩＤと組み合わされた利用者ＩＤが加入者ＩＤであることを認識し、利用者履歴データベース５において、図２に示すように、利用者ＩＤ、つまり、この加入者ＩＤに対応させてパケット数を積算する。
【００２３】
一方、サーバ１は、会社ＩＤが自社の会社ＩＤと一致していないことを検出すると、この会社ＩＤと組み合わされた利用者ＩＤが、会社ＩＤに加入している利用者ＩＤでない第三者（例えば、モバイルサービス提供事業者Ｍとネットワーク契約を結んでいるモバイルサービス利用者）であることを認識し、図２に示すように、利用した回線の加入契約をしている加入者に対応させて、ユーザＩＤ（例えば、ＰＰＰ）と会社ＩＤ（例えば、ＴＴＴ）との組み合わせ毎に、パケット数を積算する。
また、サーバ１は、上記第三者の利用者が有料のウェブサイトを利用した場合、図２に示すように、この有料のウェブサイトを利用した料金を、会社ＩＤとユーザＩＤとの組み合わせに対応して、積算していく。
【００２４】
このとき、サーバ１は、他の通信事業者と契約している利用者が、自社と契約している加入者の無線ＬＡＮのアクセスポイントを使用（無線ＬＡＮシステムの使用）したことを検出し、会社ＩＤに対応する通信事業者を、図示しない会社ＩＤデータベースから検索し、検索された通信事業者（例えば、モバイルサービス提供事業者Ｍ）に対して、例えば、図１のモバイルサービス提供事業者Ｍに対して、その会社の加入者であるか否かの判定、すなわち、ユーザＩＤの確認を依頼する。
【００２５】
ここで、サーバ１は、利用者が会社ＩＤに対応する通信事業者から、この通信事業者に加入していないことを示す検索結果が送信された場合、宅内アクセスポイント１５にこのユーザＩＤのクライアント端末のＭＡＣ（Ｍｅｄｉａ  Ａｃｃｅｓ  Ｃｏｎｔｒｏｌ）アドレスによるフィルタを形成して、以降のこのユーザＩＤの利用者のパケットの入力を行わせない、特定送信元からのパケットの入力制限の処理を行う。
【００２６】
課金演算部３は、一定期間単位において、加入者ＩＤ毎に、自社の加入者ＩＤに対応したパケット数を含め、上記会社ＩＤ各々のパケットの合計数を積算し、各会社ＩＤの合計数を加算して総計を求める。
そして、課金演算部３は、自社のパケットの合計数をこの上記総計により除算し、除算結果として全体における加入者の使用割合を求め、この使用割合をこの加入者の加入料（ネットワーク使用の定額料金）に対して乗算して、加入者の実際の支払い金額を求める。
すなわち、サーバ１は、図４に示すように、モバイルサービスの利用者が回線利用として支払う、後述する第三者の回線使用料（利用料）が差し引かれた（減額された）支払金額（契約料、利用料等を含む定額料金）を要求する（このとき、有料のウェブサイトを利用した利用料の請求も同時に行う）。
【００２７】
また、課金演算部３は、課金データベースにおいて、各加入者ＩＤに対応させてこの支払金額を記録する。
ここで、課金演算部３は、上記一定期間単位において、加入者ＩＤ毎に、自身（例えば、有線高速ネットワーク事業者Ｓ）以外の通信事業者各々の会社ＩＤ及びユーザＩＤの組み合わせに対応するパケットの合計数をもとめ、この各々の合計数をそれぞれパケット数の総計で除算し、この除算結果を加入者の定額料金に乗算して、この第三者であるモバイルサービスの利用者の回線使用料（利用料）の上記支払い金額を計算する。
そして、サーバ１は、図４に示すように、上記回線使用料をモバイルサービス事業者を介して、第三者であるモバイルサービスの利用者に対して請求（このとき、有料のウェブサイトを利用した図２に示す料金の請求も同時に行う）し、回線利用料を徴収する。
また、モバイルサービス事業者は、モバイルサービス利用者から、上記回線使用料を含む利用料金及び契約料からなる支払金額を演算して、この支払金額を徴収する。
【００２８】
次に、本発明のルータを、加入者宅、例えば有線高速ネットワーク事業者Ｓとネットワークの使用契約を結んでいる加入者宅Ｈに設けられているルータＲを例にとり説明する。このルータＲは、会社のサブネットワークに用いられるルータでもよく、ＬＡＮポート１４に宅内無線アクセスポイント１５が接続されているものとする。
ルータＲは、制御部８，ＭＡＣアドレス検出部９，再送処理部１０，再送時間演算部１１，識別子添付部１２，モデム１３及びＬＡＮポート１４を有している。
【００２９】
ＬＡＮポート１４には、宅内のＬＡＮである家庭内ネットワーク（すなわち、サブネットワーク）を形成するパーソナルコンピュータ１７，及び無線ＬＡＮを構成するための宅内無線アクセスポイント１５が接続されている。
この宅内無線アクセスポイント１５は、ルータ５の設定と共に、各種クライアント端末（ノートパソコン１６，パーソナルコンピュータ１７及び携帯端末１８等）が特別な制限を受けずにアクセス可能な設定となっている。
制御部８は、ルータＲに対してＬＡＮよりＬＡＮポート１４を介して入力されるパケットをＭＡＣアドレス検出部９へ転送する。
【００３０】
ＭＡＣアドレス検出部９は、宅内無線アクセスポイント１５から、ＬＡＮを介して入力されるパケットから、送信元ＭＡＣアドレスを抽出し、抽出された送信元ＭＡＣアドレスが、内部に予め設定されている設定ＭＡＣアドレスと一致するか否かを判定する。
ここで、加入者は、ＭＡＣアドレス検出部９に対して、ルータＲに接続するクライアント端末のＭＡＣアドレスを、予め設定ＭＡＣアドレスとして登録する。
識別子添付部１２は、上記ＭＡＣアドレス検出部９が、送信元ＭＡＣアドレスと、予め設定されている設定ＭＡＣアドレスとが対応することを検出した場合、予め設定されている識別子を前記パケットに添付し、設定ＭＡＣアドレスに対応していないことを検出した場合、対応する送信元に対し、この送信元を識別する識別子の送信を要求し、入力される識別子を添付する。
ここで、識別子添付部１２は、クライアント端末の所有者のＩＤ番号と、この所有者の加入している通信事業者を示す会社ＩＤとを含む識別子を用いている。
【００３１】
制御部８は、上記識別子を添付されたパケットを、モデム１３及び情報通信網Ｉを介して、各々のパケットを、それぞれのパケットに示される宛先アドレスに対して送信する。
ＡＤＳＬ及びＣＡＴＶのいずれかの通信業者と契約している場合、ルータＲの情報通信網に対するインターフェースはモデム１３であるが、光ネットワークの場合にはモデム１３に代えてメディアコンバータが用いられる。
【００３２】
再送処理部１０は、パーソナルコンピュータ１７，ノートパソコン１６及び携帯端末１８等の複数のクライアント端末各々から、パケットが入力されて、ＬＡＮの先行利用者がある場合、または、複数のパケットの衝突が起こった場合、各々のクライアント端末がパケットの送信または再送を行う時点での待ち時間を、制御信号として、各々のクライアント端末に対して、新たにＬＡＮを介してルータＲとの間で回線が接続されたときに出力する。
【００３３】
再送時間演算部１１は、クライアント端末毎に予め設定されている優先度に基づいて、各々のクライアント端末におけるパケット送信または再送の待ち時間の演算を行う。
また、再送時間演算部１１は、ランダム関数により求められるランダム時間に対して、優先度に対応した係数を乗じ、上記待ち時間の演算を行う。
ここで、再送時間演算部１１は、高い優先度に対応する係数を、低い優先度に比較して小さい数値として、パケットの送信または再送時における待ち時間の演算を行う。
【００３４】
ここで、従来の無線ＬＡＮにおいては、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ）という方式を利用して衝突を制御している。
このＣＳＭＡ／ＣＡ方式においては、他の通信を検出した場合にランダム時間後に送信を開始し、そこで衝突が生じた場合に、上位レイヤでの再送制御となり、基本的に全てのユーザに平等なアクセス制御権を与えていた。
また、従来の無線ＬＡＮにおいては、衝突回避の方法として、事前に全てのクライアントに優先順位を設けてビジー検出時にこの優先順位に応じてパケット送信間隔時間（パケットの送信または再送の待ち時間）を設定するものもある。
【００３５】
一方、本願発明において、ＭＡＣアドレス検出部９は、上記ＣＳＭＡ／ＣＡ方式において、予め設定されている設定ＭＡＣアドレスに対応する、すなわち一致するクライアント端末（例えば、パーソナルコンピュータ１７，ノートパソコン１６などの無線ＬＡＮに通常接続される加入者の端末）の優先度を、対応していないクライアント端末（例えば、携帯端末１８等の他の通信事業者へ加入契約をしている利用者の保有する端末）より高く設定する。
【００３６】
このとき、ＭＡＣアドレス検出部９は、例えば、接続されたクライアントが内部に予め設定されている設定ＭＡＣアドレスと一致する場合、接続された順番に高い優先度を与える。
そして、再送処理部１０は、再送時間演算部１１の計算した待ち時間を、上記再送制御信号に添付して、ルータＲとＬＡＮを介して接続されたクライアント端末毎に、各々の優先度に対応するクライアント端末に送信する。
【００３７】
すなわち、再送処理部１０は、再送時間演算部１１が、上述した優先度に対応した待ち時間、例えば、ＭＡＣアドレス検出部９に予め設定されている加入者のクライアント端末（パーソナルコンピュータ１７など）に対して、ランダム関数により得られるランダム時間に係数Ａを乗算した待ち時間を、また、ＭＡＣアドレス検出部９に予め設定されていない第三者の利用者のクライアント端末（携帯端末１８等）に対して、ランダム関数により得られるランダム時間に係数Ｂを乗算した待ち時間を、各々のクライアント端末に送信する。
ここで、「係数Ａ＜係数Ｂ」であり、すなわち、
［Ａ×（ランダム時間）］＜［Ｂ×（ランダム時間）］
となる。
【００３８】
そして、図３のフローチャートに示すように、各クライアント端末は、ＬＡＮの先行利用者がある場合（ステップＳ１）、予め送信された待ち時間の間送信を行わず、また、すでに述べた待ち時間が経過した後ステップ３へ進む（ステップＳ２）。
【００３９】
そして、各クライアント端末は、再送するとき先行利用者の有無を確認して、もし先行者があれば、ステップＳ１に戻り（ステップＳ３）、再送処理部１０から送信され、内部に記憶されている待ち時間の間、パケットの再送の処理を行わない（ステップＳ２）。
一方、各クライアント端末は、再送するとき先行利用者の有無を確認して、もし先行者が無ければ（ステップＳ３）、パケットの送信を行う（ステップＳ４）。
ここで、複数のクライアント端末がパケットの送信を行い、パケットが衝突した場合、上位レイヤで衝突処理を行うが、この場合も、優先度に応じた待ち時間に対応して、再送処理を行う（ステップＳ５）。
【００４０】
ここで用いられるパーソナルコンピュータ１７，ノートパソコン１６及び携帯端末１８等は、各々、ルータＲから予め送信され、内部に記憶される待ち時間、すなわち、再送処理部１０から送信された待ち時間により、先にいずれかのクライアントがパケットを送信してＬＡＮを使用していることを検知した場合または、パケットの衝突が起こり、再送処理部１０がパケットの再送処理を行った場合、この待ち時間経過後に、パケットの送信または再送の処理、すなわち、パケットをＬＡＮ（無線ＬＡＮシステム、つまり宅内におけるサブネットワーク）に出力する。
【００４１】
また、上述したルータＲにおいて、再送時間演算部１１がランダム関数により求めたランダム時間に、優先度に対応した係数を乗算して、待ち時間を求めているが、ランダム関数によるランダム時間でなく、予め決められた所定の時間に対して、上述した係数を乗算して待ち時間を求めるようにしてもよい。
さらに、また、別の構成として、再送時間演算部１１が優先度と待ち時間との対応を示すテーブルを有しており、ＭＡＣアドレス検出部９がＬＡＮによりルータＲと接続されたクライアント端末のＭＡＣアドレスにより優先度を決定し、再送時間演算部１１がこの優先度に対応した待ち時間を選択し、再送処理部１０がこの優先度に対応した待ち時間を対応するクライアント端末へ送信するようにしてもよい。
このとき、ＭＡＣアドレス検出部９は、接続されたクライアント端末のＭＡＣアドレスが内部に設定されていないＭＡＣアドレスの場合、最も低い優先度から順次優先度を決定する。
加えて、予めモバイルサービス提供事業者が、携帯端末１８を提供する時点で、ＭＡＣアドレス検出部９に予め設定されている、宅内アクセスポイント１５のユーザが保有する各クライアント端末に比較して、長い待ち時間を、設定しておくようにしてもよい。
【００４２】
次に、図１のモバイルサービス提供事業者Ｍに設けられているシステムについて説明する。
サーバ６は、無線アクセスポイントＰを介して携帯端末１８との間に回線を接続し、データの送受信を行う。
利用者データベース７は、モバイルサービス提供事業者Ｍに加入しているユーザＩＤと、このユーザＩＤに対応して回線の使用料金が記憶されている。
そして、サーバ６は、サーバ１からのユーザＩＤの問い合わせに対して、このユーザＩＤを利用者データベース７において検索して、検索されるか否か、すなわち、この利用者がモバイルサービス提供事業者Ｍに加入しているか否かの判定を行い、この判定結果をサーバ１へ送信する。
【００４３】
また、モバイルサービス提供事業者Ｍにおいて、サーバ２は、図４に示すように、利用者データベース７に記憶されている、サーバ１から送信された有線高速ネットワーク事業者Ｓの回線の使用料金を、契約料金及び有料サイトの料金とともに、モバイルサービス利用者へ要求して、各々のモバイルサービス利用者から支払い金額の回収を行う。
【００４４】
また、図１におけるルータＲ，ネットワークサービスシステムＳ及びサーバ６を実現するためのプログラムをコンピュータ読み取り可能な記録媒体に記録して、この記録媒体に記録されたプログラムをコンピュータシステムに読み込ませ、実行することにより施工管理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
【００４５】
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるものであっても良い。
【００４６】
以上、この発明の実施形態を図面を参照して詳述してきたが、具体的な構成はこの実施形態に限られるものではなく、この発明の要旨を逸脱しない範囲の設計等も含まれる。
【００４７】
【発明の効果】
以上説明したように、本発明によるルータ及びネットワークサービスシステムによれば、下記の効果を得ることができる。
本願発明によれば、有線高速ネットワーク事業者に加入している、定額制のユーザ回線のユーザ宅内の無線ＬＡＮのアクセスポイントを介して、このユーザとは関係のない第三者である、宅外にいるモバイルユーザに、加入者の当該ユーザ回線を利用させることにより、当該ユーザの月額定額量（実際に支払う料金）をモバイルユーザへのサービス提供業者が補助することで減額とすることができ、有線高速ネットワーク事業者への加入者を増加させることができる。
これにより、本願発明は、当該モバイルサービス提供業者が新たな無線アクセスポイント等のネットワーク設備を敷設することなく、無線アクセスポイントを増加させ、自身の加入者に対して多くの（任意の）地点において、各利用者に対して快適なモバイルサービスを提供できる。
【００４８】
すなわち、本願発明によれば、パケット衝突時に、宅内において、定額制のユーザ回線の加入者の通信を優先させ、かつ、定額制のユーザ回線の加入者の利用時、この加入者の回線利用を優先させる処理を行うことにより、宅外にいる第三者のモバイルユーザが上記加入者が回線を利用していない時、モバイルユーザに対して使用可能とし、この回線の有効利用を図ることができ、モバイルユーザ向けにＡＤＳＬや光回線の回線容量の有効活用ができる。
これにより、本願発明においては、モバイルユーザ向けサービス提供事業者が、有線高速ネットワークにおける、加入者の宅内に設けられた無線ＬＡＮのアクセスポイントを利用することにより、安価にモバイルサービスＮＷを構築することができる。
【図面の簡単な説明】
【図１】ルータＲ及びネットワークシステムＨを用いたネットワークの構成例を示す概念図である。
【図２】図１における加入者履歴データベース５に記録されるデータフォーマットを示す概念図である。
【図３】クライアント端末がパケットの送信または再送を行う場合の流れを示すフローチャートである。
【図４】優先高速ネットワーク事業者，モバイルサービス事業者，加入者及びモバイルサービス利用者の料金の支払いの関係を示す概念図である。
【符号の説明】
１，６  サーバ
２  抽出部
３  課金演算部
４  課金データベース
５  加入者履歴データベース
７  利用者データベース
８  制御部８
９  ＭＡＣアドレス検出部
１０  再送処理部
１１  再送時間演算部
１２  識別子添付部
１３  モデム（またはメディアコンバータ）
１４  ＬＡＮポート
１５  宅内無線アクセスポイント
１６  ノートパソコン
１７  パーソナルコンピュータ
１８  携帯端末
Ｈ  加入者宅
Ｉ  情報通信網
Ｓ  有線高速ネットワーク事業者
Ｍ  モバイルサービス提供事業者
Ｐ  無線アクセスポイント
【図１】
2004312088.tif 000003
【図２】
2004312088.tif 000004
【図３】
2004312088.tif 000005
【図４】
2004312088.tif 000006